(57)【要約】      （修正有）【課題】棒の軸方向位置を検出するモジュールを備える制御デバイス、及びそのような制御デバイスを備える計時器を提供する。【解決手段】検出モジュールは、第１の端部及び第２の端部並びに第１の端部と第２の端部との間の中央部分を有する弾性導電性羽根５を備え、羽根５は、棒３が引張り位置と端部位置との間の３つの異なる位置、即ち、引張り位置、端部位置及び中間位置を占めるように、棒３によって軸方向に駆動するように設計する。２つの電気接７、９は、棒３の端部位置及び引張り位置のそれぞれを検出するようにする。羽根５は、棒３が中間位置から引張り位置まで通過する際、又はその逆の場合も同様に、羽根５の第１の端部で枢動するようにする。また、羽根５は、棒３が中間位置と端部位置との間を通過する際に弾性変形を受けるようにし、ユーザが棒３に加えた軸方向の起動力を解放した際、棒３を中間位置の方に戻す力に実質的に関与するようにする。【選択図】図１
2019078751.tif 000002
【特許請求の範囲】
【請求項１】
ユーザが作動可能な棒（３）、及び前記棒の複数の異なる軸方向位置を検出する電気式検出モジュール（１）を備える制御デバイスであって、前記軸方向位置は、長手方向軸を画定し、軸方向に変位させることができ、前記検出モジュールは、
・第１の端部、第２の端部、及び前記第１の端部と前記第２の端部との間の中央部分を備える弾性導電性羽根（５）であって、前記羽根は、前記中央部分が、前記棒の前記長手方向軸に実質的に直交し、特に前記棒によって軸方向に変位させることができ、且つ前記羽根が、３つの異なる位置を占めることができ、前記棒の引張り位置、端部位置、及び前記引張り位置と前記端部位置との間の中間位置のそれぞれの検出を可能にするように具現化する、弾性導電性羽根（５）、
・前記棒が端部位置にあるときにのみ前記羽根（５）と接触するように設計した第１の電気接点（７）、並びに
・前記棒が引張り位置にあるときにのみ前記羽根（５）と接触するように設計した第２の電気接点（９）
を備え、
前記羽根（５）は、前記棒（３）が前記中間位置から前記引張り位置まで通過する際、及びその逆の場合も同様に、前記第１の端部で枢動するように設計し、前記羽根（５）は、前記棒（３）が前記中間位置と前記端部位置との間を通過する際に弾性変形を受けるように設計し、ユーザが前記棒（３）に加えた軸方向の作動力を解放した際、前記棒（３）を前記中間位置の方に戻す力に実質的に関与するようにする、制御デバイス。
【請求項２】
前記羽根（５）は、変形力の不在下では湾曲形状を有する、請求項１に記載の制御デバイス。
【請求項３】
前記羽根（５）は、変形力の不在下では実質的にクロスボウ形状を有し、非変形状態では、前記中央部分は、前記棒（３）の長手方向軸上の突出部に位置し、前記突出部は、前記第１の端部及び前記第２の端部に対して引張り位置の側にある、請求項２に記載の制御デバイス。
【請求項４】
前記羽根（５）は、前記中央部分と前記第１の端部との間の第１の中間部分、及び前記中央部分と前記第２の端部との間の第２の中間部分を備え、前記羽根（５）は、前記中央部分から前記２つの端部の方に減少する可変断面を有し、これにより、前記羽根（５）の弾性変形が、前記棒（３）が前記中間部分と前記端部位置との間を通過する際に、前記第１の中間部及び前記第２の中間部に実質的に集中するようにする、請求項１から３のいずれか一項に記載の制御デバイス。
【請求項５】
前記第１の電気接点（７）は、前記羽根（５）の前記第１の端部の、前記引張り位置から前記端部位置への規定方向に対する前記羽根（５）の下流側に配置する、請求項１から４のいずれか一項に記載の制御デバイス。
【請求項６】
前記第２の電気接点（９）は、前記羽根（５）の前記第２の端部の、前記引張り位置から前記端部位置への規定方向に対する前記羽根（５）の上流側に配置する、請求項１から５のいずれか一項に記載の制御デバイス。
【請求項７】
前記検出モジュールは、前記羽根（５）の枢動をもたらすために、前記羽根（５）の前記第２の端部と係合する戻りばね（１１）を更に備える、請求項１から６のいずれか一項に記載の制御デバイス。
【請求項８】
前記戻りばね（１１）は、前記引張り位置から前記端部位置への規定方向に対する前記羽根（５）の前記第２の端部の下流側に配置する、請求項７に記載の制御デバイス。
【請求項９】
前記戻りばね（１１）は、前記羽根（５）に電位を印加するように設計した電気導体である、請求項７又は８に記載の制御デバイス。
【請求項１０】
前記中間位置と前記引張り位置との間の前記羽根（５）の枢動は、前記羽根の弾性変形を実質的に伴わずに実施する、請求項１から９のいずれか一項に記載の制御デバイス。
【請求項１１】
前記羽根（５）は、前記中央部分に貫通孔を備え、前記貫通孔に、前記棒（３）を挿入し、前記棒（３）は、肩部（６）を備え、前記中央羽根（５）は、少なくとも前記棒が前記中間位置から前記端部位置の方に変位する際に前記肩部（６）に当接する、請求項１から１０のいずれか一項に記載の制御デバイス。
【請求項１２】
請求項１から１１のいずれか一項に記載の制御デバイスを備える計時器であって、前記棒（３）は、前記計時器のいくつかの機能のための制御部材を構成する、計時器。
【発明の詳細な説明】
【技術分野】
【０００１】
本発明は、ユーザが作動させることができる、例えば計時器のりゅうずを形成する棒、及び棒の軸方向位置を検出する電気式モジュールを備える制御デバイスに関する。特に、検出モジュールは、棒の軸方向移動の検出を可能にするようにも設計する。
【背景技術】
【０００２】
電気式りゅうずを、りゅうず棒の軸方向位置を検出する電気モジュールに関連付けた計時器において、これらの電気モジュールは、一般に、嵩があり、２つの位置、即ち、安定な静止位置、及び「クリック位置」とも呼ばれる押圧機能のための端部位置の検出しか可能にしないことが多い。公知の検出モジュールは、一般に、サイズが大型であり、棒の２つの軸方向位置しか検出できないことが多い。公知の検出モジュールの別の欠点は、一般に、こうした検出モジュールが有する、棒の戻し手段が、押圧機能の起動後の棒の戻りを保証するにはかなり弱いものであることである。
【発明の概要】
【発明が解決しようとする課題】
【０００３】
本発明の目的は、特に計時器内に配置し、制御デバイスに対する棒の軸方向位置を少なくとも検出する電気式検出モジュールに関連して、上記で特定した少なくとも一部の欠点を克服することである。
【課題を解決するための手段】
【０００４】
この目的で、本発明は、棒のいくつかの軸方向位置を検出するように設計した、請求項１に記載の制御デバイスを提案する。
【０００５】
本発明による検出モジュールは、検出モジュールのサイズを縮小し、（時計の）より小さな口径への組込みを可能にする一方で、棒の３つの軸方向位置の検出を可能にするために開発された。空間を節約するために、羽根は、軸方向位置を検出する電気接点として作用することに加えて、クリック位置のための戻りばねという機能を有する。更に、検出モジュールの設計は、従来のケース封入法を可能にする。というのは、検出モジュールは、計時器のムーブメント内に完全に組み込むことができるためである。
【０００６】
本発明は、上述の制御デバイスを備える計時器にも関する。
【０００７】
本発明の他の態様は、従属請求項に示す。
【０００８】
以下、非限定的な例として示す添付の図面を用いて本発明をより詳細に説明する。
【図面の簡単な説明】
【０００９】
【図１】本発明の一実施形態による、制御棒の軸方向位置を検出するモジュールの主な要素を示す斜視図である。
【図２】本発明による制御デバイスの水平断面図であり、検出モジュールの枠の内側に置かれた図１の主な要素を示す。
【図３】棒、及び棒に関連付けた弾性羽根を示す等角図であり、棒は、２つのばねの間に配置されている。
【図４】図２の制御デバイスの等角図である。
【図５ａ】制御デバイスの異なる構成を示す部分上面図であり、構成は、検出モジュールが検出する棒の異なる位置に対応する。
【図５ｂ】制御デバイスの異なる構成を示す部分上面図であり、構成は、検出モジュールが検出する棒の異なる位置に対応する。
【図５ｃ】制御デバイスの異なる構成を示す部分上面図であり、構成は、検出モジュールが検出する棒の異なる位置に対応する。
【発明を実施するための形態】
【００１０】
次に、図面を参照して、本発明による一実施形態をより詳細に説明する。本実施形態は、計時器の状況で説明する。本発明の詳細な説明において、計時器は、特に腕時計であり、以下、単に「時計」と呼ぶが、本発明をユーザの手首に装着する時計に限定するものではない。実際、本発明は、電子計時器又は可搬電子デバイスの少なくとも一部の機能を制御するデバイスを備える、あらゆる種類の電子計時器又は他の可搬電子デバイスに適用することができる。
【００１１】
図１は、時計のりゅうず棒３の軸方向位置を検出する電気システムの主な要素を斜視図で示す。この検出システムは、その形状のために「クロスボウ」とも呼ばれる湾曲弾性導電性羽根５を備える。したがって、羽根５は、上から見ると、外力を一切受けていない場合に実質的にクロスボウ形状を有する。この例では、羽根は、マルエージング鋼から作製され、マルエージング鋼は、その強度及び硬度が高い一方で、良好な延性を維持することが公知の合金である。羽根５は、第１の端部、第１の端部とは反対側の第２の端部、及び第１の端部と第２の端部との間の中央部分を備える。羽根５は、中央部分と第１の端部との間の第１の中間部分、中央部分と第２の端部との間の第２の中間部分を備える。
【００１２】
図２に示すように、棒３の端部分が部分的に羽根を通過できるように、羽根５の中央部分に貫通孔が設けられ、羽根は、棒３上に設けた肩部６に当接する。棒３は、長手方向軸を画定し、これにより、羽根の中央部分がこの長手方向軸に実質的に直交した状態で羽根が配置され、軸方向変位の間、この棒によって端部位置に向かって軸方向に羽根を駆動するようにする。羽根５は、非変形状態では、羽根の中央部分が、棒３の長手方向軸上の突出部に位置するように検出モジュール内に配置され、突出部は、羽根の第１の端部及び第２の端部に対して引張り位置の側にある。有利には、導電性羽根は、その中心、即ち中央部分から２つの端部の方に減少する可変断面を有する。この非一定断面の利点は後に説明する。
【００１３】
検出システムは、羽根５の第１の端部に実質的に位置する第１の電気接点７、及び羽根５の第２の端部に実質的に位置する第２の電気接点９も備え、第１の電気接点７及び第２の電気接点９は、以下で説明するように、羽根と選択的に接触するように配置する。第１の電気接点７は、羽根の第１の側に設ける一方で、第２の電気接点９は、羽根５の第２の側、即ち、第１の側とは反対の側に設ける。ピン等の案内部材１３の周囲に組み付けた戻りばね１１は、この羽根の第２の端部の側で、羽根の第２の側に当接する状態で配置する。戻りばね１１は、羽根と永続的に接触するように設計する。戻りばね１１は、２つの機能、即ち、機械的機能、及び羽根５に電位を印加する電気的機能を有する。羽根５は、例えば戻りばねを通して接地させることができる。したがって、羽根５、第１の電気接点７及び第２の電気接点９、並びに戻りばね１１は、全て導電体である。これらは、導電性材料から作製するか、又は導電性外側層を有することができる。戻りばね１１は、例えば鋼鉄製である。
【００１４】
図２は、本発明による制御デバイス１を示す水平断面図であり、枠１５の内側の上述の検出システムの要素が一緒に、検出モジュール２を形成する。この検出モジュールは、つづみ車１７に関連付けた２つの光学センサ２１及び２３を備え、つづみ車１７は、棒３の非円形断面の端部分により回転駆動する。つづみ車１７は、ワッシャ１９によって軸方向に保持され、反射小面を有する。そのような棒の回転検出システムは、本明細書では更に詳細に説明しない。そのような検出システムは当業者に公知である。磁気又は静電容量検出システムを設けることもできる。磁気システムの場合、つづみ車は磁石を有する。
【００１５】
また、２つのばね２５は、棒３を軸方向に配置するために設けられる。これら２つのばねは、図３に良好に示される。棒３を軸方向に配置するために、棒３は、横断圧力を棒に加える２つのばねと係合するように配置した２つの横断溝を備える。こうして、棒は２つの安定な軸方向位置を占めることができる。２つの溝の上流に、棒は、意図する押圧機能を促進する先細区分を有する。有利には、棒３は、つづみ車１７及び時計ケース（図示せず）の中間部のみによって保持され、したがって案内される。この態様は、提案する解決策の嵩を最小にするのに役立つ。図４の等角図は、制御デバイス１及び特に、検出モジュール２を示す。
【００１６】
次に、図５ａから図５ｃを参照して、棒３の割送り及び検出モジュール２の機能をより詳細に説明する。棒３は、３つの異なる主要軸方向位置、特に、図５ａに示す第１の安定位置、図５ｂに示す第２の安定位置、及び「クリック位置」とも呼ばれる図５ｃに示す非安定端部位置を占めることができる。これら３つの主要位置に到達させるために、棒３は、典型的には第２の非安定位置を通過する。この例では、第１の安定位置は、中間位置又は静止位置であり、即ち、この位置は、時計のあらゆる機能と関連しない一方で、棒の第２の安定位置は、例えば、時計の針を操作可能にする。端部位置は、押圧機能に対応し、押圧機能は、クロノグラフ又は日付の表示等、時計の機能を起動するために使用することができる。
【００１７】
静止位置において、棒３は、２つの心棒ばね２５によって所定の位置に配置／保持され、２つの心棒ばね２５は、棒の第１の溝に挿入されている。羽根は、この位置では、羽根に作用する戻りばね１１のほんのわずかな量の力によりわずかに変形している。更に、この静止位置では、第１の電気接点７及び第２の電気接点９は開放されている（羽根５と接触していない）。
【００１８】
ユーザが棒３を静止位置から引っ張る、即ち、棒を拡張させると、棒３は、図５ｂに示す第２の安定位置（引張り位置）に到達する。棒３は、この位置において、２つの心棒ばね２５によって所定の位置に配置／保持され、２つの心棒ばね２５は、第２の溝に挿入されている。この場合、この引張り位置において羽根上に加えられる機械的な力は、わずかであるが、ゼロではなく、これにより、電気接点９との接触を保証する。棒を静止位置から引張り位置に引く際の羽根上の変形力を制限するために、羽根は、戻りばね１１の作用下、羽根の第１の端部で枢動し、最終的に第２の電気接点９と接触する。枢動軸は、羽根５の第１の端部に位置し、第１の端部は、この場所に屈曲部を備える。この屈曲部は、屈曲部の内側に配置した実質的に円形の枠の突出部分と、シューとの間に配置され、所望の関節を達成するようにする。この特定の構成は、第１に、羽根を枠１５内で側方に保持し、第２に、羽根を枢動させることを可能にする。
【００１９】
棒の端部位置は、比較的多量の力を棒に加えることにより、棒を時計の内側に向けて押圧することによって到達させることができる。図５ｃに示すように、羽根５は、端部位置において、可撓性である第１の電気接点７と接触するように設計されており、第１の電気接点７が、一定量の圧力を羽根５から吸収することができるようにする。羽根５の第２の端部は、端部位置において、枠の停止部に載り、羽根５は、比較的顕著な弾性変形を呈する。というのは、羽根５の中央部分は、引張り位置から端部位置への規定方向で棒の肩部６によって押されるためである。端部位置内の戻り力は、主に羽根５によって供給され、第２に、心棒ばね２５によって供給される。クリック感覚は、ばね２５が棒３の第２の溝から外れる動作によって保証される。この目的で、第２の溝は、上述の方向に二重勾配を備え、二重勾配は、急な区分２７及び緩やかな勾配区分２９を有する（図５ｂではっきりとわかる）。最小の空間要件で最大の戻り力を達成するために、羽根５は、最も可能な適切な様式で応力を分散させる可変区分を有する。特に、中央部分が最大幅を有するため、棒がこの中央部分の上を押しているにもかかわらず、中央部分が十分に剛性のままであるようにすることが提供される。図示の例では、羽根は、静止位置と端部位置との間では実質的に枢動しないことに留意されたい。
【００２０】
したがって、要約すると、電子検出モジュール２は、検出モジュール２の枠１５内に配置した湾曲弾性導電性羽根５、及び２つの電気接点７、９を備え、２つの電気接点７、９は、棒の引張り位置及び端部位置内のそれぞれで導電性板と接触するように構成される。第１の電気接点７は、引張り位置からその端部位置に向かう規定方向に対して羽根５の下流側に配置される一方で、第２の電気接点９は、羽根５の上流側に配置される。有利には、湾曲弾性羽根は、棒が静止位置から引張り位置まで通過する際、及びその逆の場合も同様に、羽根の第１の端部で枢動するように組み付けられる。特に、この枢動は、棒の肩部６が引かれる際に、戻りばね１１によって生成される。好ましくは、この枢動は、羽根５の弾性変形を実質的に伴わずに実施される一方で、羽根５は、棒が静止位置と端部位置との間を通過する間、比較的大幅な弾性変形を受けるように設計され、ユーザが棒に対し加えた軸方向の起動力を解放した際、この棒を静止位置に戻す力に実質的に関与するようにする。より詳細には、羽根は、中央部分と第１の端部との間の第１の中間部分、及び中央部分と第２の端部との間の第２の中間部分を備え、羽根は、羽根の中央部分から羽根の第１の端部の方に減少し、羽根の中央部分から羽根の第２の端部の方にも減少する可変断面も有し、これにより、棒が中間部分と端部位置との間を通過する際、羽根の弾性変形が、それぞれ中央部分と２つの端部との間に位置する第１の中間部及び第２の中間部内に実質的に集中するようにする。有利には、導電性羽根は、羽根の中心から羽根の２つの端部の方に減少する可変断面を有し、羽根の中央部分と羽根の第１の端部及び第２の端部との間に位置する羽根５の２つの中間部分の比較的大幅な変形を可能にする。
【００２１】
したがって、本発明は、より小さな嵩を達成するようにサイズを縮小させた電子検出モジュールを提案する一方で、３つの軸方向位置を検出する手段、及び押圧機能のためにユーザが棒を作動させた後、ユーザが加えた軸方向の力を解放すると、棒をその端部位置から効果的に戻す手段を含む。
【符号の説明】
【００２２】
１  検出モジュール
３  棒
５  弾性導電性羽根
７  第１の電気接点
９  第２の電気接点
【図１】
2019078751.tif 000003
【図２】
2019078751.tif 000004
【図３】
2019078751.tif 000005
【図４】
2019078751.tif 000006
【図５ａ】
2019078751.tif 000007
【図５ｂ】
2019078751.tif 000008
【図５ｃ】
2019078751.tif 000009